(57)【要約】【課題】特定の注目する事象と同じ事象又は類似する事象を、産業プラントで過去に発生した事象の中から容易に検索・抽出することができるプラント操業再現装置を提供する。【解決手段】再現装置１２は、データ収集装置１３、データ蓄積装置１４、入力手段、検索装置１５を備える。データ収集装置１３は、ネットワークを介して伝送されるプロセスデータをリアルタイムで収集する。データ蓄積装置１４は、データ収集装置１３によって収集されたプロセスデータを蓄積する。検索装置１５は、入力手段から入力された特定の注目事象に基づいてデータ蓄積装置１４に蓄積されたプロセスデータを検索し、産業プラントで過去に発生した事象の中から、入力手段から入力された特定の注目事象に関連する事象を抽出する。【選択図】図２
2014203360.tif 000002
【特許請求の範囲】
【請求項１】
産業プラントを構成する複数の機器とともに所定のネットワークに接続された再現装置と、
を備え、
前記再現装置は、
前記ネットワークを介して伝送されるプロセスデータをリアルタイムで収集するデータ収集装置と、
前記データ収集装置によって収集されたプロセスデータを蓄積するデータ蓄積装置と、
前記産業プラントで発生した特定の注目事象を入力するための第１入力手段と、
前記第１入力手段から入力された特定の注目事象に基づいて前記データ蓄積装置に蓄積されたプロセスデータを検索し、前記産業プラントで過去に発生した事象の中から、前記第１入力手段から入力された特定の注目事象に関連する事象を抽出する検索装置と、
を備えたプラント操業再現装置。
【請求項２】
前記再現装置は、
前記検索装置によって抽出された事象を再現させるためのプロセスデータを前記データ蓄積装置から抽出し、前記ネットワーク上に復元させるデータ再現管理装置と、
を備えた請求項１に記載のプラント操業再現装置。
【請求項３】
特定の注目事象は、プロセスデータの項目を特定するための情報と値を特定するための情報と傾向を特定するための情報とを含み、
前記検索装置は、前記第１入力手段から入力された特定の注目事象に基づいて検索のためのデータパターンを決定し、その決定したデータパターンと同じ又は類似するパターンを有するプロセスデータを、前記データ蓄積装置に蓄積されたプロセスデータの中から抽出する
請求項１又は請求項２に記載のプラント操業再現装置。
【請求項４】
前記再現装置は、
前記検索装置によって抽出された事象に関する情報を表示するための表示手段と、
を備え、
前記表示手段は、前記検索装置によって複数の事象が抽出された場合に、前記検索装置によって抽出されたプロセスデータの項目と特定の注目事象に含まれるプロセスデータの項目との相関の強さに基づいて、表示する事象の順序を決定する
請求項３に記載のプラント操業再現装置。
【請求項５】
前記再現装置は、
前記検索装置によって抽出された事象に関する情報を表示するための表示手段と、
基準データを入力するための第２入力手段と、
を備え、
前記表示手段は、前記検索装置によって複数の事象が抽出された場合に、前記第２入力手段から入力された基準データに基づいて、表示する事象の絞り込みを行う又は表示する事象の順序を決定する
請求項３に記載のプラント操業再現装置。
【発明の詳細な説明】
【技術分野】
【０００１】
この発明は、産業プラントにおいて用いられるプラント操業再現装置に関するものである。
【背景技術】
【０００２】
鉄鋼・非鉄金属等の産業プラントでは、各種プロセスデータを収集及び蓄積している。蓄積されたプロセスデータは、例えば、保守において問題が発生した時に、発生した事象を解析するために利用される。また、蓄積されたプロセスデータは、制御システムの機能を改造したり更新したりした際に、制御機器の動作確認を行うために利用される。
【０００３】
プロセスデータのこのような利用においては、先ず、蓄積されたプロセスデータに基づいて制御機器に対する入力情報が生成される。そして、その入力情報を制御機器に入力し、プロセスデータを収集した時と同じ操業条件で制御機器を動作させる。
【０００４】
特許文献１は、かかる機能を備えた装置の一例を開示している。特許文献１に記載された装置では、特定のイベントが発生したことを表す情報（イベント情報）からインデックスを作成する。そして、プロセスデータを収集した時と同じ操業条件で制御機器を動作させる場合は、インデックスの時刻に基づいてプロセスデータの読み出しを行っている。
【先行技術文献】
【特許文献】
【０００５】
【特許文献１】特開２０１０−２８２２４６号公報
【発明の概要】
【発明が解決しようとする課題】
【０００６】
特許文献１に記載された装置を使用して制御機器を動作させる場合は、イベント情報に基づいて時刻を特定し、その時刻にどのような事象が起こっていたのかをプロセスデータから確認する必要がある。このため、注目する事象に基づいて過去の同じ事象或いは類似する事象を調査して再現させる場合、その作業に多大な手間と時間とが必要になるといった問題があった。
【０００７】
この発明は、上述のような課題を解決するためになされたものである。この発明の目的は、特定の注目する事象と同じ事象又は類似する事象を、産業プラントで過去に発生した事象の中から容易に検索・抽出することができるプラント操業再現装置を提供することである。
【課題を解決するための手段】
【０００８】
この発明に係るプラント操業再現装置は、産業プラントを構成する複数の機器とともに所定のネットワークに接続された再現装置と、を備え、再現装置は、ネットワークを介して伝送されるプロセスデータをリアルタイムで収集するデータ収集装置と、データ収集装置によって収集されたプロセスデータを蓄積するデータ蓄積装置と、産業プラントで発生した特定の注目事象を入力するための第１入力手段と、第１入力手段から入力された特定の注目事象に基づいてデータ蓄積装置に蓄積されたプロセスデータを検索し、産業プラントで過去に発生した事象の中から、第１入力手段から入力された特定の注目事象に関連する事象を抽出する検索装置と、を備えたものである。
【発明の効果】
【０００９】
この発明に係るプラント操業再現装置であれば、特定の注目する事象と同じ事象又は類似する事象を、産業プラントで過去に発生した事象の中から容易に検索・抽出することができる。このため、保守において問題が発生した時の解析作業や、システムの機能を改造したり更新したりした時の機能確認を、効率的に行うことができるようになる。
【図面の簡単な説明】
【００１０】
【図１】この発明の実施の形態１におけるプラント操業再現装置の構成を示す図である。
【図２】図１に示す再現装置の構成を示す図である。
【図３】検索する事象を説明するための図である。
【図４】図１に示す再現装置の動作を示すフロー図である。
【発明を実施するための形態】
【００１１】
添付の図面を参照して、本発明を詳細に説明する。各図では、同一又は相当する部分に、同一の符号を付している。重複する説明は、適宜簡略化或いは省略する。
【００１２】
実施の形態１．
図１はこの発明の実施の形態１におけるプラント操業再現装置の構成を示す図である。
本プラント操業再現装置は、鉄鋼・非鉄金属等の産業プラントにおいて使用される。以下においては、本プラント操業再現装置を鉄鋼プラントに適用する場合を例に、具体的な説明を行う。
【００１３】
鉄鋼プラントは、例えば、熱間圧延プラント、冷間圧延プラント、プロセスラインプラントといった複数の工程によって構成される。各工程では、種々の設備を使用して製品（半製品を含む）を製造する。例えば、プロセスラインプラントは、熱間圧延プラント或いは冷間圧延プラントで製造された製品（コイル）を最終製品に仕上げる。プロセスラインプラントには、例えば、酸洗、焼鈍、めっき、塗装、切断等を行うための１つ或いは複数の設備が備えられる。
【００１４】
鉄鋼プラントを構成する各工程に、プロセス計算機１、プロセスコントローラ２、駆動装置３、プロセスセンサ４、操作端末５、操作盤６が備えられる。
【００１５】
プロセス計算機１、プロセスコントローラ２、プロセスセンサ４及び操作端末５は、情報ＬＡＮ７に接続される。情報ＬＡＮ７は、製造情報管理や情報総括に用いられるＬＡＮである。また、プロセス計算機１、プロセスコントローラ２、駆動装置３、プロセスセンサ４、操作端末５及び操作盤６は、制御ＬＡＮ８に接続される。制御ＬＡＮ８は、制御用の高速データ伝送に用いられるＬＡＮである。
【００１６】
各工程のプロセス計算機１は、上位ＬＡＮ９を介して上位計算機１０に接続される。上位ＬＡＮ９は、情報ＬＡＮ７及び制御ＬＡＮ８より上位のネットワークである。上位ＬＡＮ９は、プラント操業や物流管理のために用いられる。上位ＬＡＮ９には、上位計算機１０及び各工程のプロセス計算機１の他に、搬送システム１１が接続される。
【００１７】
本願発明の要部を構成する再現装置１２は、鉄鋼プラントに備えられた各ネットワークに接続される。図１に示す例では、再現装置１２は、各工程の情報ＬＡＮ７、各工程の制御ＬＡＮ８、上位ＬＡＮ９のそれぞれに接続される。鉄鋼プラントにプロセスデータが伝送される他のネットワークが存在する場合、再現装置１２は、そのネットワークにも接続される。
【００１８】
図２は、再現装置１２の構成を示す図である。再現装置１２は、例えば、データ収集装置１３、データ蓄積装置１４、検索装置１５、入力表示端末１６、データ再現装置１７、データ再現管理装置１８を備える。
再現装置１２の具体的な機能については後述する。
【００１９】
上位計算機１０は、鉄鋼プラントの上位において情報を管理する。上位計算機１０は、例えば、ビジネスコンピュータからなる。上位計算機１０は、製造する製品の情報及び期日の情報に基づいて、製品製造のためのスケジュールを作成する。上位計算機１０は、作成したスケジュールに基づいて、各工程において製造を行うための指示情報（製造指示情報）を決定する。
【００２０】
上位計算機１０は、各工程のプロセス計算機１に対して、プラント操業に関する情報（プラント操業情報）を上位ＬＡＮ９を介して出力する。プラント操業情報とは、鉄鋼プラントを構成する各工程において操業を行うための情報である。上位計算機１０からプロセス計算機１に出力されるプラント操業情報には、例えば、母材情報や製品の製造指示情報が含まれる。
【００２１】
搬送システム１１は、母材や製品を工程間で搬送するための設備を管理する。例えば、熱間圧延プラントで製造されたコイルは、一定期間、ヤード等で保管される。搬送システム１１は、ヤードに設置されたクレーン等の設備を管理する。
【００２２】
搬送システム１１は、各工程のプロセス計算機１に対して、物流管理に関する情報（物流管理情報）を上位ＬＡＮ９を介して出力する。搬送システム１１からプロセス計算機１に出力される物流管理情報には、例えば、母材や製品の位置情報が含まれる。
【００２３】
プロセス計算機１は、鉄鋼プラントを構成する工程の制御情報を統括する。プロセス計算機１は、情報ＬＡＮ７や制御ＬＡＮ８に接続された機器を使用して製品を製造する際の目標値を計算する。プロセス計算機１は、上位計算機１０から受信したプラント操業情報に基づいて、上記目標値の計算を行う。
【００２４】
プロセス計算機１は、上位計算機１０に対して、プラント操業情報を上位ＬＡＮ９を介して出力する。プロセス計算機１から上位計算機１０に出力されるプラント操業情報には、例えば、製品の製造進捗情報や製品情報が含まれる。
【００２５】
プロセス計算機１は、搬送システム１１に対して、物流管理情報を上位ＬＡＮ９を介して出力する。プロセス計算機１から搬送システム１１に出力される物流管理情報には、例えば、製品の位置情報が含まれる。
【００２６】
なお、再現装置１２のデータ収集装置１３は、接続されているネットワークを介して収集可能なプロセスデータをリアルタイムで全て収集する。データ収集装置１３は、収集したプロセスデータをデータ蓄積装置１４に蓄積する。例えば、データ収集装置１３は、上位ＬＡＮ９を介して伝送されるプロセスデータを全て受信する。データ収集装置１３が上位ＬＡＮ９から受信したプロセスデータは、データ蓄積装置１４に記憶される。
【００２７】
プロセスコントローラ２は、工程に備えられた各機器を実際に制御する機能を有する。プロセスコントローラ２は、各機器に対する指令値を計算し、計算した指令値を情報ＬＡＮ７及び制御ＬＡＮ８を介して出力する。プロセスコントローラ２による上記指令値の計算は、プロセス計算機１から受信した目標値と情報ＬＡＮ７及び制御ＬＡＮ８に接続されている各機器からの出力値とに基づいて行われる。
プロセスコントローラ２は、必要に応じて１台或いは複数台が備えられる。
【００２８】
駆動装置３は、プロセスコントローラ２が計算した指令値に基づいて駆動される。駆動装置３は、例えば、電動機やバルブの開閉を駆動する装置等、種々の装置によって構成される。
【００２９】
プロセスセンサ４は、温度や速度、時間等を測定する各種測定器からなる。各工程には、用途別に多数のプロセスセンサ４が備えられる。プロセスセンサ４は、その種別により、情報ＬＡＮ７或いは制御ＬＡＮ８に接続される。一部のプロセスセンサ４は、情報ＬＡＮ７及び制御ＬＡＮ８の双方に接続される。プロセスセンサ４は、測定した結果（測定値）を情報ＬＡＮ７又は／及び制御ＬＡＮ８に出力する。
【００３０】
操作端末５は、例えば、オペレータが操作するためのＰＣからなる。操作端末５は、オペレータが制御介入するための画面を提供する。オペレータは、操作端末５の画面に表示されたプロセスデータを見て、その値が正常か否かを確認することができる。また、オペレータは、操作端末５からプロセスデータの値を入力することにより、オペレータ介入を行うことができる。操作端末５は、オペレータが入力した値の情報（オペレータ入力情報）を情報ＬＡＮ７又は／及び制御ＬＡＮ８に出力する。
【００３１】
操作盤６は、オペレータが制御介入するための操作用品（例えば、ツマミ、レバー、スイッチ等）を提供する。オペレータは、操作盤６に備えられた操作用品を操作することにより、オペレータ介入を行うことができる。操作盤６は、オペレータが入力した情報（オペレータ入力情報）を制御ＬＡＮ８に出力する。
【００３２】
情報ＬＡＮ７は、上述したように、製造情報管理や情報統括に用いられる情報ネットワークである。鉄鋼プラントを構成する各工程では、種々のプロセスデータが情報ＬＡＮ７を介して伝送される。情報ＬＡＮ７を介して伝送されるプロセスデータには、以下のようなデータも含まれる。
ａ）プロセス計算機１からプロセスコントローラ２及びプロセスセンサ４に対する制御設定情報
ｂ）操作端末５からプロセスコントローラ２及びプロセス計算機１に対するオペレータ入力情報
ｃ）プロセスセンサ４からプロセスコントローラ２及びプロセス計算機１に対する測定値
【００３３】
データ収集装置１３は、情報ＬＡＮ７を介して伝送されるプロセスデータを全て受信する。データ収集装置１３が情報ＬＡＮ７から受信したプロセスデータは、データ蓄積装置１４に記憶される。
【００３４】
制御ＬＡＮ８は、プロセス制御用ネットワークである。制御ＬＡＮ８は、プロセス計算機１、プロセスコントローラ２、駆動装置３、プロセスセンサ４、操作端末５、操作盤６の各ノード間で、一定の高速周期で共有される共有データエリアを提供する。鉄鋼プラントを構成する各工程では、種々のプロセスデータが制御ＬＡＮ８を介して伝送される。制御ＬＡＮ８を介して伝送されるプロセスデータには、以下のようなデータも含まれる。
ｄ）プロセスコントローラ２間の制御情報
ｅ）プロセスコントローラ２からプロセスセンサ４及び駆動装置３に対する制御情報
ｆ）プロセスセンサ４から出力された測定値
ｇ）駆動装置３から出力された実績値
ｈ）プロセス計算機１からプロセスコントローラ２に対する制御設定
ｉ）操作端末５及び操作盤６から出力されたオペレータ入力情報
【００３５】
データ収集装置１３は、制御ＬＡＮ８を介して伝送されるプロセスデータを全て受信する。データ収集装置１３が制御ＬＡＮ８から受信したプロセスデータは、データ蓄積装置１４に記憶される。
【００３６】
データ蓄積装置１４は、データ収集装置１３によって収集されたプロセスデータを蓄積する大容量データベースから構成される。データ蓄積装置１４は、収集されたプロセスデータを、予め定められた一定期間保存する。
【００３７】
検索装置１５は、鉄鋼プラントにおいて過去に発生した事象の中から、特定の注目する事象（注目事象）を抽出したり、注目事象と同じ事象又は類似する事象を抽出する。検索装置１５は、データ蓄積装置１４に蓄積されているプロセスデータを検索し、上記抽出を行う。
【００３８】
入力表示端末１６は、保守員等（以下、単に「保守員」という）が情報を入力したり、保守員に情報を表示したりするための端末である。過去に発生した事象の検索を行いたい保守員は、検索に必要な情報を入力表示端末１６から入力する。また、保守員は、入力表示端末１６の表示画面を見て、検索の結果（途中経過を含む）を知ることができる。入力表示端末１６は、情報を入力するための端末と情報を表示するための端末とに分かれていても良い。
【００３９】
データ再現装置１７は、過去に発生した事象を鉄鋼プラントにおいて再現させる機能を有する。例えば、データ再現装置１７は、データ蓄積装置１４に蓄積されているプロセスデータを、データ収集装置１３によって収集された時と同じ時系列でネットワーク上に復元する。データ再現装置１７は、上位ＬＡＮ９を介して収集されたプロセスデータを上位ＬＡＮ９に復元する。同様に、データ再現装置１７は、情報ＬＡＮ７を介して収集されたプロセスデータを情報ＬＡＮ７に復元する。データ再現装置１７は、制御ＬＡＮ８を介して収集されたプロセスデータを制御ＬＡＮ８に復元する。
【００４０】
データ再現管理装置１８は、データ再現装置１７がネットワーク上に復元するプロセスデータを管理する。例えば、データ再現管理装置１８は、検索装置１５によって抽出された事象を再現するために必要なプロセスデータを、データ蓄積装置１４に蓄積されているプロセスデータから抽出する。データ再現装置１７は、データ再現管理装置１８によって抽出されたプロセスデータをネットワーク上に復元する。
【００４１】
次に、図３及び図４も参照し、再現装置１２の機能について具体的に説明する。図３は、検索する事象を説明するための図である。図４は、再現装置１２の動作を示すフロー図である。
【００４２】
図３は、鉄鋼プラントで製造されたコイルの板厚の実績値を示している。図３に示す例では、先端から時間ｔ１までに製造された部分の板厚は公差内に入っている。一方、時間ｔ１以降に製造された部分（尾端部分）の板厚は公差から外れ、その値が大きくなっている。
【００４３】
先ず、過去の注目事象を蓄積データから特定したい保守員は、入力表示端末１６の入力画面に注目事象特定条件を入力する（図４のＳ１）。注目事象特定条件は、鉄鋼プラントにおいて発生した事象を特定するための情報である。例えば、保守員は、注目事象の発生時刻或いは設備、イベント、製品番号といった情報を既に知っていれば、それらの情報（或いは、その情報）を注目事象特定条件として入力表示端末１６に入力する。また、注目事象が特定されていなかったり、発生時刻等が曖昧であったりする場合、保守員は、プロセスデータの項目を特定するための情報と、プロセスデータの値を特定するための情報と、プロセスデータの傾向を特定するための情報と、事象の発生場所（発生期間）を特定するための情報とを注目事象特定条件として入力表示端末１６に入力する。
【００４４】
例えば、図３に示すような事象に注目したい場合、保守員は、尾端部分の板厚が公差から外れ、その部分の板厚が徐々に大きくなるといった事象を特定するため、先ず、図３に示すようなコイル実績データを検索・抽出する。次に、保守員は、抽出したコイル実績データの中から注目事象を特定するため、「時間ｔ１〜尾端部分」を示す情報又は「板厚の許容寸法（上限値）以上」を示す情報、「尾端に近づくに従ってプロセスデータの値が大きくなる」ことを示す情報を入力する。
【００４５】
なお、図３は鉄鋼プラントで発生する事象の一例を示すものである。鉄鋼プラントで発生する事象は、これに限定されない。
【００４６】
検索装置１５は、入力表示端末１６から注目事象特定条件が入力されると（Ｓ１）、入力された注目事象特定条件に基づいて事象を抽出し（Ｓ２）、抽出した事象を入力表示端末１６に表示させる。保守員は、入力表示端末１６に表示された事象の中から１つを選択し、注目事象を特定する（Ｓ３）。検索装置１５は、Ｓ３において特定された注目事象に基づいて、データ蓄積装置１４に蓄積されているプロセスデータを検索し、鉄鋼プラントにおいて過去に発生した事象の中から、Ｓ３において特定された注目事象に関連する事象を抽出する（Ｓ４）。
【００４７】
なお、保守員は、Ｓ３において注目事象を特定した際に、事象の特徴を示す項目を複数入力しても良い。かかる場合、検索装置１５は、入力表示端末１６から入力された複数の項目も考慮して関連する事象を抽出する（Ｓ４）。
保守員は、Ｓ３において注目事象を特定した際に、事象の特徴を示す項目の数値条件を入力しても良い。かかる場合、検索装置１５は、入力表示端末１６から入力された数値条件も考慮して関連する事象を抽出する（Ｓ４）。
【００４８】
また、保守員は、Ｓ３において注目事象を特定した際に、例えば材料であれば、同じ設備で生産した別の材料も含めるといった条件又は別の設備で生産した同じ材料も含めるといった条件を入力しても良い。かかる場合、検索装置１５は、入力表示端末１６から入力された条件も考慮して関連する事象を抽出する（Ｓ４）。
【００４９】
検索装置１５は、既知のマイニング手法や統計手法を用いることにより、上記検索及び抽出を行う。例えば、検索装置１５は、注目事象の特徴を示す項目及び発生場所（発生期間）に対応するデータを、データ蓄積装置１４に蓄積されているプロセスデータから抽出する。そして、検索装置１５は、抽出したプロセスデータのうち、注目事象に含まれる値及び傾向に合致するものを、注目事象に関連する事象（同じ事象或いは類似する事象）と判断し、抽出する。
【００５０】
また、他の例として、検索装置１５は、注目事象に含まれる発生場所（発生期間）に対応するデータを、データ蓄積装置１４に蓄積されているプロセスデータの全ての項目から抽出する。そして、検索装置１５は、抽出したプロセスデータのうち、注目事象に含まれる値及び傾向に合致するものを、注目事象に関連する事象と判断し、抽出する。
【００５１】
この時、検索装置１５は、入力された注目事象に基づいて検索のためのデータパターンを決定しても良い。検索装置１５は、少なくとも注目事象に含まれる値及び傾向に基づいてデータパターンを決定する。かかる場合、検索装置１５は、決定したデータパターンと同じ又は類似するパターンを有するプロセスデータを、注目事象に関連する事象として抽出する。データパターンに類似するパターンか否かを判定するための条件は、予め設定されていても良いし、保守員が入力表示端末１６から入力しても良い。
【００５２】
Ｓ４において検索装置１５によって抽出された事象の情報は、再現事象候補として入力表示端末１６に表示される（Ｓ５）。検索装置１５によって抽出された事象が１つしかない場合、その抽出された事象が、鉄鋼プラントにおいて再現させるための事象として確定される（Ｓ９）。
【００５３】
Ｓ４において検索装置１５によって複数の事象が抽出された場合、それらの事象の情報は、所定の表示方法によって入力表示端末１６に表示される（Ｓ５）。例えば、注目事象に含まれる期間内の全てのプロセスデータに対し、検索装置１５によって抽出された各事象の同じ期間のプロセスデータの全項目の相関の強さに着目する。入力表示端末１６は、既知の統計解析手法を用いることにより、検索装置１５によって抽出されたプロセスデータの項目と注目事象に含まれる項目との相関の強さを演算し、例えば、相関の強い順に事象を表示する。
【００５４】
保守員が選択を行うための手段が入力表示端末１６に備えられている場合、入力表示端末１６は、検索装置１５によって抽出された複数の事象を選択画面に表示する。保守員が選択画面から１つの事象を選択すると（Ｓ８）、その選択された事象が、鉄鋼プラントにおいて再現させるための事象として確定される（Ｓ９）。
【００５５】
また、入力表示端末１６から基準データを入力できるように構成しても良い。基準データは、表示する事象の絞り込みを行うため又は表示する事象の順序を決定するための基準となるデータである。基準データの例として、上限又は下限の基準となる閾値、範囲内及び範囲外の基準となる上限下限値、データの出現回数、頻度の割合、平均値、標準偏差、品質の合否判定といったものが挙げられる。検索装置１５は、入力表示端末１６から基準データが入力されると（Ｓ６）、入力された基準データに基づいて、表示する事象の絞り込みを行う。又は、検索装置１５は、入力された基準データに基づいて、表示する事象の順序を決定する（Ｓ７）。入力表示端末１６は、Ｓ７において事象の絞り込み或いは順序の決定が行われた結果を、再現事象候補として再度表示する（Ｓ５）。
【００５６】
なお、基準データは、入力表示端末１６に予め登録されていても良い。かかる場合、検索装置１５は、Ｓ４において複数の事象を抽出すると、予め登録されている基準データに基づいて、表示する事象の絞り込み又は表示する事象の順序の決定を行う。
【００５７】
このような表示方法を採用することにより、Ｓ４において複数の事象が抽出された場合であっても、注目事象により近い事象を、上位に表示させることができる。
【００５８】
上記構成を有するプラント操業再現装置であれば、特定の注目する事象と同じ事象又は類似する事象を、産業プラントで過去に発生した事象の中から容易に検索・抽出することができる。このため、保守において問題が発生した時の解析作業や、システムの機能を改造したり更新したりした時の機能確認を、効率的に行うことができるようになる。
【００５９】
なお、再現装置１２に、データ再現装置１７によって行われる再現処理を開始・停止・再開・終了させるための手段を備えても良い。
【００６０】
上記実施の形態では、一例として、再現装置１２が、鉄鋼プラントに備えられた全てのネットワークに接続されている場合について説明した。再現装置１２は、鉄鋼プラントに備えられた一部のネットワークに接続されていても良い。
【００６１】
本プラント操業再現装置は、鉄鋼プラントへの適用に限定されるものではない。本プラント操業再現装置は、鉄鋼プラント以外の他の産業プラントにも適用することができる。かかる場合、例えば、産業プラントを構成する複数の機器とともに、再現装置１２を所定のネットワークに接続する。再現装置１２は、接続された上記ネットワークを介してプロセスデータを収集し、事象を抽出及び再現するための上記各制御を実施する。
【符号の説明】
【００６２】
１  プロセス計算機
２  プロセスコントローラ
３  駆動装置
４  プロセスセンサ
５  操作端末
６  操作盤
７  情報ＬＡＮ
８  制御ＬＡＮ
９  上位ＬＡＮ
１０  上位計算機
１１  搬送システム
１２  再現装置
１３  データ収集装置
１４  データ蓄積装置
１５  検索装置
１６  入力表示端末
１７  データ再現装置
１８  データ再現管理装置
【図１】
2014203360.tif 000003
【図２】
2014203360.tif 000004
【図３】
2014203360.tif 000005
【図４】
2014203360.tif 000006